【誤訳訂正書】
【提出日】平成20年8月25日(2008.8.25)
【誤訳訂正１】
【訂正対象書類名】明細書
【訂正対象項目名】特許請求の範囲
【訂正方法】変更
【訂正の内容】
【特許請求の範囲】  
【請求項１】  細胞壁を調節するタンパクあるいはポリペプチドが遺伝子導入植物において発現されるように、分泌シグナルペプチドをコードする核酸に機能しうるように連結した、細胞壁を調節するタンパクあるいはポリペプチドをコードする核酸を備える核酸作成物を持つ遺伝子導入植物であって、作成物を持たない祖先植物と遺伝子導入植物を同一の条件下で栽培した場合、祖先植物に比べて変更された形態を示し、
該細胞壁を調節するタンパクあるいはポリペプチドが、セルロース結合ドメインまたはエンド−１，４−β−グルカナーゼであり、かつ
該変更された形態が高められた生物量、より早い生育速度、より高い収率、より高いセルロース含有量、反芻動物による良い消化率、または熱、生物分解若しくは害毒に対する抵抗性である前記遺伝子導入植物。
【請求項２】  前記細胞壁調節タンパクあるいはポリペプチドは、エンド−１，４−β−グルカナーゼであり、該変更された形態が高められた生物量またはより早い生育速度である、請求項１の遺伝子導入植物。
【請求項３】  前記細胞壁調節タンパクあるいはポリペプチドは、セルロース結合ドメインである請求項１の遺伝子導入植物。
【請求項４】  前記セルロース結合ドメインは、細菌、真菌あるいは粘菌から入手できる請求項１または３の遺伝子導入植物。
【請求項５】  前記セルロース結合ドメインは、ファージディスプレイ・ライブラリーから入手できる請求項１または３の遺伝子導入植物。
【請求項６】  前記セルロース結合ドメインは、Clostridiumsp., Ceullolomonas sp.、 Agaricus bisporus、 Fusarium oxysporum、Humicola sp.、 Neocallimastix patriciarum、Neurosporacrassa、 Penicillium janthinellum、 Phanerochaete chrysosporium、Porphyrspurpurea、Trichoderma sp.、Butyrivibrio fibrisolvens、Microbispora bispora、Micromonospora cellulolyticum、 Pseudomonasfluorescens、 Streptomyces sp.、Thermomonosporafusca、Bacillus sp.、 Caldocellumsaccharolyticum、 Erwinia sp.、Myxococcusxanthus、 Limulus sp.、Dictyostelium discoidum、Thermoanaerobacteriumsaccharolyticum、 Thermotoga maritimaあるいはCellvibro mixtusから入手できる請求項１または３の遺伝子導入植物。
【請求項７】  前記セルロース結合ドメインは、C.cellulovoransタンパクあるいはポリペプチドから入手できる請求項６の遺伝子導入植物。
【請求項８】  分泌シグナルペプチドをコードする前記核酸は、Ｃｅｌ１分泌シグナルペプチドをコードする請求項１〜３のいずれかの遺伝子導入植物。
【請求項９】  前記エンド−１，４−β−グルカナーゼは、Arabidopsis thaliana（シロイヌナズナ）から入手できるＣｅｌ１である請求項１または２の遺伝子導入植物。
【請求項１０】  前記核酸作成物を持っている請求項１から９のいずれかの遺伝子導入植物の子孫、クローン、細胞株あるいは細胞。
【請求項１１】  分泌シグナルペプチドをコードする核酸に機能しうるように連結した細胞壁調節タンパクあるいはポリペプチドをコードする核酸を備え、さらに細胞壁調節タンパクあるいはポリペプチドが遺伝子導入植物で発現されるようにプロモーターを備えている核酸作成物を持つ遺伝子導入植物であって、核酸作成物を持たない祖先植物と遺伝子導入植物を同じ条件下で栽培した場合、祖先植物に比べて変更された形態を示し、
該細胞壁を調節するタンパクあるいはポリペプチドが、セルロース結合ドメインまたはエンド−１，４−β−グルカナーゼであり、かつ
該変更された形態が高められた生物量、より早い生育速度、より高い収率、より高いセルロース含有量、反芻動物による良い消化率、または熱、生物分解若しくは害毒に対する抵抗性である前記遺伝子導入植物。
【請求項１２】  プロモーターは、構成的な植物プロモーターである請求項１１の遺伝子導入植物。
【請求項１３】  構成的な植物プロモーターは、ＣａＭＶ３５Ｓプロモーターである請求項１２の遺伝子導入植物。
【請求項１４】  プロモーターは、組織特異的な植物プロモーターである請求項１１の遺伝子導入植物。
【請求項１５】  組織特異的な植物プロモーターは、ｃｅｌ１機能的プロモーターである請求項１４の遺伝子導入植物。
【請求項１６】  組織特異的な植物プロモーターは、Arabidopsisthalianaのｃｅｌ１機能的プロモーターである請求項１５の遺伝子導入植物。
【請求項１７】  前記細胞壁調節タンパクあるいはポリペプチドは、エンド−１，４−β−グルカナーゼであり、該変更された形態が高められた生物量またはより早い生育速度である請求項１３の遺伝子導入植物。
【請求項１８】  前記細胞壁調節タンパクあるいはポリペプチドは、セルロース結合ドメインである請求項１１の遺伝子導入植物。
【請求項１９】  前記セルロース結合ドメインは、細菌、真菌あるいは粘菌から入手できる請求項１８の遺伝子導入植物。
【請求項２０】  前記セルロース結合ドメインは、ファージディスプレイ・ライブラリーから入手できる請求項１８の遺伝子導入植物。
【請求項２１】  前記セルロース結合ドメインは、Clostridiumsp., Ceullolomonas sp.、 Agaricus bisporus、 Fusarium oxysporum、Humicola sp.、 Neocallimastix patriciarum、Neurosporacrassa、 Penicillium janthinellum、 Phanerochaete chrysosporium、Porphyrspurpurea、Trichoderma sp.、Butyrivibrio fibrisolvens、Microbispora bispora、Micromonospora cellulolyticum、 Pseudomonasfluorescens、 Streptomyces sp.、Thermomonosporafusca、Bacillus sp.、 Caldocellumsaccharolyticum、 Erwinia sp.、Myxococcusxanthus、 Limulus sp.、Dictyostelium discoidum、Thermoanaerobacteriumsaccharolyticum、 Thermotoga maritimaあるいはCellvibro mixtusから入手できる請求項１８の遺伝子導入植物。
【請求項２２】  前記セルロース結合ドメインは、C.cellulovoransから入手できる請求項１８の遺伝子導入植物。
【請求項２３】  前記エンド−１，４−β−グルカナーゼは、Ｃｅｌ１である請求項１７の遺伝子導入植物。
【請求項２４】  核酸作成物は、ｃｅｌ１プロモーター−ｃｅｌ１に機能しうるように連結した分泌シグナルペプチドをコードする核酸を備えている請求項１１の遺伝子導入植物。
【請求項２５】  核酸作成物は、ｃｅｌ１プロモーター−ＣＢＤに機能しうるように連結した分泌シグナルペプチドをコードする核酸を備えている請求項１１の遺伝子導入植物。
【請求項２６】  分泌シグナルペプチドは、ｃｅｌ１分泌シグナルペプチドである請求項１１の遺伝子導入植物。
【請求項２７】  ｃｅｌ１分泌シグナルペプチドは、Arabidopsisthalianaから入手できる請求項２６の遺伝子導入植物。
【請求項２８】  前記Ｃｅｌ１は、Arabidopsisthalianaから入手できる請求項２３の遺伝子導入植物。
【請求項２９】  プロモーターは、誘発性プロモーターである請求項１１の遺伝子導入植物。
【請求項３０】  核酸作成物は、両方ともArabidopsisthalianaから入手できるｃｅｌ１分泌シグナルペプチドに機能しうるように連結したｃｅｌ１プロモーターで、Clostridium cellulovoransのセルロース結合ドメインに連結したものである請求項１１の遺伝子導入植物。
【請求項３１】  前記核酸作成物を持っている請求項１１の遺伝子導入植物の種子。
【請求項３２】  前記核酸作成物を持っている請求項１１の遺伝子導入植物の子孫、クローン、細胞株あるいは細胞。
【請求項３３】  植物において細胞壁調節タンパクあるいはポリペプチドをコードする組換え核酸を発現させることを特徴とする植物の生育速度を高める方法であって、
該細胞壁を調節するタンパクあるいはポリペプチドが、セルロース結合ドメインまたはエンド−１，４−β−グルカナーゼである前記方法。
【請求項３４】  遺伝子導入植物を作成する方法であって、（ａ）分泌シグナルペプチドをコードする核酸および細胞のプロモーターに機能しうるように連結した、細胞壁調節タンパクあるいはポリペプチドをコードする組換え核酸を植物細胞に導入すること、および
（ｂ）植物の細胞において組換え核酸を発現することを備え、そして、前記遺伝子導入植物は、核酸作成物を持たない祖先植物と遺伝子導入植物を同じ条件下で栽培した場合、祖先植物に比べて変更された形態を示し、
該細胞壁を調節するタンパクあるいはポリペプチドが、セルロース結合ドメインまたはエンド−１，４−β−グルカナーゼであり、かつ
該変更された形態が高められた生物量、より早い生育速度、より高い収率、より高いセルロース含有量、反芻動物による良い消化率、または熱、生物分解若しくは害毒に対する抵抗性であることを特徴とする前記遺伝子導入植物を作成する方法。
【請求項３５】  さらに（ｃ）植物を栽培すること、および（ｄ）遺伝子導入植物から種子を回収することを備える請求項３４の遺伝子導入植物を作成する方法。
【請求項３６】  植物において細胞壁調節タンパクあるいはポリペプチドをコードする組換え核酸を発現させることを特徴とする、組換え核酸を含んでいない祖先植物と同じように栽培し、繊維あるいは繊維細胞を比較した場合、より長いセルロース化合物繊維あるいは繊維細胞を持つ遺伝子導入植物を作成する方法であって、
該細胞壁を調節するタンパクあるいはポリペプチドが、セルロース結合ドメインまたはエンド−１，４−β−グルカナーゼである前記方法。
【請求項３７】  植物において細胞壁調節タンパクあるいはポリペプチドをコードする組換え核酸を発現させることを特徴とする、組換え核酸を含んでいない祖先植物と同じように栽培した場合、祖先植物のセルロース含有量よりも高い含有量のセルロースを持つ遺伝子導入植物を作成する方法であって、
該細胞壁を調節するタンパクあるいはポリペプチドが、セルロース結合ドメインである前記方法。
【請求項３８】  植物において細胞壁調節タンパクあるいはポリペプチドをコードする組換え核酸を発現させることを特徴とする、組換え核酸を含んでいない祖先植物と同じように栽培した場合、祖先植物のデンプン生産量あるいは含有量よりも高いデンプン生産量あるいは含有量を持つ遺伝子導入植物を作成する方法であって、
該細胞壁を調節するタンパクあるいはポリペプチドが、セルロース結合ドメインである前記方法。
【請求項３９】  植物において細胞壁調節タンパクあるいはポリペプチドをコードする組換え核酸を発現させることを特徴とする、組換え核酸を含んでいない祖先植物と同じように栽培した場合、祖先植物の開花期より早い開花期を持つような遺伝子導入植物を作成する方法であって、
該細胞壁を調節するタンパクあるいはポリペプチドが、セルロース結合ドメインまたはエンド−１，４−β−グルカナーゼである前記方法。
【請求項４０】  植物において細胞壁調節タンパクあるいはポリペプチドをコードする組換え核酸を発現させることを特徴とする、組換え核酸を含んでいない祖先植物と同じように栽培した場合、祖先植物の熱抵抗性よりも高い熱抵抗性を持つような遺伝子導入植物を作成する方法であって、
該細胞壁を調節するタンパクあるいはポリペプチドが、セルロース結合ドメインである前記方法。
【請求項４１】  細胞壁調節タンパクあるいはポリペプチドをコードする核酸を含んでいない祖先植物と同じように栽培し、繊維あるいは繊維細胞を比較した場合、前記遺伝子導入植物は、より長い繊維あるいは繊維細胞を示す請求項１１の遺伝子導入植物。
【請求項４２】  請求項４１の遺伝子導入植物の子孫、クローン、細胞株、細胞あるいは種子。
【請求項４３】  細胞壁調節タンパクあるいはポリペプチドをコードする核酸を含んでいない祖先植物と同じように栽培して比較した場合、遺伝子導入植物の方が早い生育速度を示す請求項１あるいは１１の遺伝子導入植物。
【請求項４４】  請求項４３の遺伝子導入植物の子孫、クローン、細胞株、細胞あるいは種子。
【請求項４５】  細胞壁調節タンパクあるいはポリペプチドをコードする核酸を含んでいない祖先植物と同じように栽培して比較した場合、遺伝子導入植物の方が生物分解に大きい抵抗性を示し、該細胞壁を調節するタンパクあるいはポリペプチドが、セルロース結合ドメインである請求項１あるいは１１の遺伝子導入植物。
【請求項４６】  請求項４５の遺伝子導入植物の子孫、クローン、細胞株、細胞あるいは種子。
【請求項４７】  遺伝子導入植物の方が反芻動物において大きい消化率を示し、該細胞壁を調節するタンパクあるいはポリペプチドが、セルロース結合ドメインである請求項１あるいは１１の遺伝子導入植物。
【請求項４８】  請求項４７の遺伝子導入植物の子孫、クローン、細胞株、細胞あるいは種子。
【請求項４９】  細胞壁調節タンパクあるいはポリペプチドをコードする核酸を含んでいない祖先植物と同じように栽培して比較した場合、遺伝子導入植物の方が害虫に対して大きい抵抗性を示し、該細胞壁を調節するタンパクあるいはポリペプチドが、セルロース結合ドメインである請求項１あるいは１１の遺伝子導入植物。
【請求項５０】  請求項４９の遺伝子導入植物の子孫、クローン、細胞株、細胞あるいは種子。
【請求項５１】  細胞壁調節タンパクあるいはポリペプチドをコードする核酸を含んでいない祖先植物と同じように栽培して比較した場合、遺伝子導入植物の方が高いデンプン生産量および/あるいは含有量を示し、該細胞壁を調節するタンパクあるいはポリペプチドが、セルロース結合ドメインである請求項１あるいは１１の遺伝子導入植物。
【請求項５２】  請求項５１の遺伝子導入植物の子孫、クローン、細胞株、細胞あるいは種子。
【請求項５３】  細胞壁調節タンパクあるいはポリペプチドをコードする核酸を含んでいない祖先植物と同じように栽培して比較した場合、遺伝子導入植物の方が高い熱抵抗性を示し、該細胞壁を調節するタンパクあるいはポリペプチドが、セルロース結合ドメインである請求項１あるいは１１の遺伝子導入植物。
【請求項５４】  請求項５３の遺伝子導入植物の子孫、クローン、細胞株、細胞あるいは種子。
【請求項５５】  細胞壁調節タンパクあるいはポリペプチドをコードする核酸を含んでいない祖先植物と同じように栽培して比較した場合、遺伝子導入植物の方が、セルロースが多いことを示し、該細胞壁を調節するタンパクあるいはポリペプチドが、セルロース結合ドメインである請求項１あるいは１１の遺伝子導入植物。
【請求項５６】  請求項５５の遺伝子導入植物の子孫、クローン、細胞株、細胞あるいは種子。
【誤訳訂正２】
【訂正対象書類名】明細書
【訂正対象項目名】００６０
【訂正方法】変更
【訂正の内容】
【００６０】
本発明はまた、細胞壁を調節するポリペプチドが遺伝子導入植物で発現されるようにプロモーターに機能しうるように連結した、細胞壁を調節するポリペプチドをコードしている組換え核酸あるいは導入遺伝子を備える組換え核酸作成物あるいは遺伝子作成物を持っている遺伝子導入植物を含み、遺伝子導入植物は組換え核酸作成物あるいは遺伝子作成物を含まない祖先植物と遺伝子導入植物を同様の条件下で栽培した場合、祖先植物と比べて変更した構造あるいは形態を示す。
【誤訳訂正３】
【訂正対象書類名】明細書
【訂正対象項目名】００７１
【訂正方法】変更
【訂正の内容】
【００７１】
５．２．１．１． 発現作成物
本発明に基づいて、細胞壁を調節するポリペプチドを発現する能力を持った遺伝子導入植物は、細胞壁を調節するタンパクあるいはポリペプチドをコードしている配列を備える遺伝子作成物で植物細胞を形質転換することによって遺伝子操作される可能性がある。 １つの実施例では、植物プロモーターは植物細胞壁を調節する望ましいタンパクあるいはポリペプチドに、機能しうるように結合されている（“機能しうるように結合された”あるいは“機能しうるように連結された”ということはここでは、“結合された”あるいは“機能しうるように連結された”プロモーターによって制御された転写により、その翻訳産物がポリペプチドであるような機能的メッセンジャーＲＮＡが作られるということを意味するために用いられている）。発明の好ましい実施例では、結合されたプロモーターは、強力な、組織特異的でも発生段階特異的でもない、植物プロモーターである（たとえば、多数の、あるいはすべての植物組織型で強く発現しているようなプロモーター）。そのような強力な、“構成的な”プロモーターには、それに限定されるものではないが、ＣａＭＶ ３５Ｓプロモーター、Ｔ−ＤＮＡマンノパインシンセターゼ プロモーター、およびそれらの様々な誘導体が含まれる。
【誤訳訂正４】
【訂正対象書類名】明細書
【訂正対象項目名】００７２
【訂正方法】変更
【訂正の内容】
【００７２】
本発明のもう１つの実施例では、組織特異的あるいは発生段階特異的なプロモーターで機能しうるように結合された細胞壁を調節するタンパクあるいはポリペプチドをコードしている配列を備える遺伝子作成物で植物を操作することが有利かもしれない。そのようなプロモーターには、それに限定されるものではないが、ｃｅｌ１プロモーター、ＣＨＳプロモーター、ＰＡＴＡＴＩＮプロモーターなどがある。たとえば、伸長している組織や器官での発現が望ましい場合、ｃｅｌ１プロモーターのようなプロモーターを用いる可能性がある。
【誤訳訂正５】
【訂正対象書類名】明細書
【訂正対象項目名】００７３
【訂正方法】変更
【訂正の内容】
【００７３】
本発明のさらに別の実施例では、変更した、あるいは人工的なプロモーターに機能しうるように連結された細胞壁を調節するタンパクあるいはポリペプチドをコードしている配列を備える遺伝子作成物で植物を形質転換することが有利かもしれない。通常は、そのようなプロモーターは別々のプロモーターの構造的要素を再結合することによって構築され、天然のプロモーターには見られない独特の発現パターンおよび/あるいはレベルを持っている。プロモーターコアとシス調節要素の再結合で構築された人工プロモーターの例については、Salina et al., 1992, Plant Cell 4:1485-1493を参照されたい。
【誤訳訂正６】
【訂正対象書類名】明細書
【訂正対象項目名】０１１８
【訂正方法】変更
【訂正の内容】
【０１１８】
発明はまた、（ａ）前述の植物ｃｅｌ１コード配列および／あるいはその相補物（すなわちアンチセンス）のいずれかを含むような組換え核酸ベクター；（ｂ）コード配列の発現を行うような調節要素に機能しうるように結合した前述の植物ｃｅｌ１コード配列のいずれかを含むような組換え核酸発現ベクター；および（ｃ）宿主細胞においてコード配列の発現を行うような調節要素に機能しうるように結合した前述の植物ｃｅｌ１コード配列のいずれかを含むような遺伝子操作された宿主細胞、を含んでいる。ここで用いられるように、調節要素は、誘発性および非誘発性のプロモーター、エンハンサー、オペレーターおよび発現を行い、調節するような、当業者には知られているそのほかの要素を含むが、これに限るものではない。そのような調節要素は、植物細胞のゲノムに由来するプロモーター（たとえば、熱ショックプロモーター；ＲＵＢＩＳＣＯの小サブユニットに対するプロモーター；葉緑素ａ／ｂ結合タンパクに対するプロモーター）あるいは植物ウイルスに由来するプロモーター（たとえば、ＣａＭＶの３５５ＲＮＡプロモーター；タバコモザイクウイルス（ＴＭＶ）のコートタンパクプロモーター、サイトメガロウイルスｈＣＭＶ即時型遺伝子、ＳＶ４０アデノウイルスの初期あるいは後期プロモーター、ｌａｃシステム、ｔｒｐシステム、ＴＡＣシステム、ＴＲＣシステム、ファージＡのオペレーターおよびプロモーター主領域、ｆｄコートタンパクの制御領域、３−ホスホグリセリン酸キナーゼに対するプロモーター、酸性ホスファターゼのプロモーター、および酵母α−接合因子）を含むが、それに限定されるものではない。
【誤訳訂正７】
【訂正対象書類名】明細書
【訂正対象項目名】０１４１
【訂正方法】変更
【訂正の内容】
【０１４１】
様々な選択系を用いてもよく、以下に限定されるものではないが、以下のようなものを含んでいる：単純ヘルペスウイルスチミジンキナーゼ(Wigler, et al., 1977, Cell 11:223)、ヒポキサンチン−グアニンホスフォリボシルトランスフェラーゼ(Szybalska & Szybalska, 1962, Proc. Natl. Acad. Sci. USA45:2026)、およびアデノシン ホスフォリボシルトランスフェラーゼ(Lowy et al., 1980, Cell 22:817)遺伝子がそれぞれｔｋ-、ｈｇｐｒｔ-あるいはａｐｒｔ-細胞で用いることができる。また、抗代謝物抵抗性も選択の基礎に用いることができ、ｄｈｆｒはメソトレキセート抵抗性があり（Wigler et al., 1980, Natl. Acad. Sci. USA77:3567; O'Hare et al., 1981, Proc. Natl. Acad. Sci. USA 78:1527)；ｇｐｔはフェノール酸抵抗性であり（Mulligan & Berg, 1981, Proc. Natl. Acad. Sci. USA 78:2072)；ｎｅｏはアミノグリコシドＧ−４１８に抵抗性であり(Colberre-Garapin et al., 1981, J. Mol. Biol. 150:1)；およびｈｙｇｒｏはハイグロマイシン抵抗性(Santerre, et al., 1984, Gene 30:147)である。最近、追加の選択可能な遺伝子が説明された、すなわち、ｔｒｐＢは細胞がトリプトファンの代わりにインドールを利用できるようにし；ｈｉｓＤはヒスチジンの代わりにヒスチノールを利用できるようにし(Hartman & Mulligan, 1988, Proc. Natl. Acad. Sci. USA 85:8047)；およびＯＤＣ（オルニチン デカルボキシラーゼ）はオルニチン デカルボキシラーゼ阻害剤、２−（ジフルオロメチル）−ＤＬ−オルニチン、ＤＦＭＯ抵抗性（McConlogue L., 1987, 分子生物学における現在のコミュニケーションの中、Cold Spring Harbor Laboratory編）である。発明はまた、（ａ）前述のコード配列および/あるいはその相補物（すなわちアンチセンス）を含むようなＤＮＡベクター；（ｂ）コード配列の発現に向けた調節要素に機能しうるように結合した前述のコード配列を含むようなＤＮＡ発現ベクター；および（ｃ）宿主細胞におけるコード配列の発現に向けた調節要素に機能しうるように結合した前述のコード配列を含むような遺伝的に操作された宿主細胞および/あるいは植物、を含んでいる。ここで用いられている調節要素は、誘発性あるいは非誘発性の、プロモーター、エンハンサー、オペレーターおよび当業者には知られている、発現を操作し、調節するような、そのほかの要素に限定されるものではないが、それらを含んでいる。
【誤訳訂正８】
【訂正対象書類名】明細書
【訂正対象項目名】０１４５
【訂正方法】変更
【訂正の内容】
【０１４５】
組換えＣｅｌ１タンパク、誘導体あるいは類似体を作成するために、Ｃｅｌ１タンパク、誘導体あるいは類似体が前記配列から生産されるように、Ｃｅｌ１タンパク、誘導体あるいは類似体ををコードしている核酸配列を機能しうるようにプロモーターにつなぐ。たとえば、ベクターを細胞に導入し、その細胞の中でベクターあるいはその一部が発現され、Ｃｅｌ１あるいはその一部を生産する。好ましい実施例では、ＲＮＡポリメラーゼの材料がＤＮＡに向けられたＲＮＡポリメラーゼである場合、核酸はＤＮＡである。しかし、ＲＮＡポリメラーゼの材料がＲＮＡに向けられたＲＮＡポリメラーゼである場合、あるいは逆転写酵素が細胞に存在した場合、あるいはＲＮＡからＤＮＡを作るために提供された場合も、核酸はＲＮＡである。そのようなベクターは、望ましいＲＮＡを作るために転写されている限り、エピソームにとどまる、あるいは染色体に統合されて行く。そのようなベクターは、当該技術において標準であるような組換えＤＮＡ技術の方法によって構築することができる。
【誤訳訂正９】
【訂正対象書類名】明細書
【訂正対象項目名】０１４８
【訂正方法】変更
【訂正の内容】
【０１４８】
Ｃｅｌ１タンパク、誘導体、あるいは類似体は当技術分野で知られているプロモーター/エンハンサー要素のどのようなもので制御してもよい。そのようなプロモーターは限定するものではないが、以下のようなものを含んでいる：ＳＶ４０初期プロモーター領域（Bernoist and Chambon, 1981, Nature 290:304-310)、ラウス肉腫ウイルスの３’長末端反復に含まれているプロモーター(Yamamoto et al., 1980, Cell 22:787-797)、ＨＳＶ−１（１型単純性ヘルペスウイルス）、チミジンキナーゼプロモーター(Wagner et al., 1981, Proc. Natl. Acad. Sci. USA 78:1441-1445)、メタロチオネイン遺伝子の調節配列(Brinster et al., 1982, Nature 296:39-42)；β−ラクラマーゼプロモーター(Villa-Kamaroff et al., 1978, Proc. Natl. Acad. Sci. USA 75:3727-3731)、」あるいはｔａｃプロモーター(DeBoer et al., 1983, Proc. Natl. Acad. Sci. USA 80:21-25)のような原核細胞の発現ベクター；Scientific American 1980, 242:74-94の“組換え細菌由来の有用なタンパク”を参照；ｃｅｌ１プロモーターあるいはその機能的断片、ノパリンシンセターゼプロモーター領域(Herrera-Estrella et al., Nature 303:209-213)あるいはカリフラワーモザイクウイルス３５Ｓ ＲＮＡプロモーター(Gardner et al., 1981, Nucl. Acids Res. 9:2871)、および光合成酵素リブロースニリン酸カルボキシラーゼのプロモーター (Herrera-Estrella etal., 1984, Nature 310:115-120)を備えている植物の発現ベクター；Ｇａｌ４プロモーター、ＡＤＣ（アルコール脱水素酵素）プロモーター、ＰＧＫ（ホスフォグリセロールキナーゼ）プロモーター、アルカリホスファターゼプロモーターのような酵母あるいはそのほかの真菌由来のプロモーター要素、および以下のような動物の転写制御領域で、組織特異性を示し、遺伝子導入動物で利用されているもの：膵臓の腺房細胞で活性のあるエラスターゼＩ遺伝子制御領域(Swift et al.,1984, Cell 38:639-646; Ornitz et al., 1986, Cold Spring Harbor Symp. Quant. Biol. 50:399-409; MacDonald, 1987, Hematology 7:425-515)；膵臓のβ細胞で活性のあるインスリン遺伝子制御領域(Hanahan, 1985, Nature 315:115-122)、リンパ系細胞で活性のある免疫グロブリン遺伝子制御領域(Grosschedl etal., 1984, Cell 38:647-658; Adames et al., 1985, Nature 318:533-538; Alexander et al., 1987, Mol. Cell. Biol. 7:1436-1444)、精巣、乳腺、リンパ系および肥満細胞で活性のあるマウス乳腺癌ウイルス制御領域 (Leder et al.,1986, Cell 45:485-495)、肝臓で活性のあるアルブミン遺伝子制御領域 (Pinkert et al., 1987, Genes and Devel.1:268-276)、肝臓で活性のあるα−フェトプロテイン遺伝子制御領域 (Krumlauf et al., 1985, Mol. Cell. Biol. 5:1639-1648; Hammer et al., 1987, Science 235:53-58)、 肝臓で活性のあるα１−アンチトリプシン遺伝子制御領域(Kalsey et al., 1987, Genes and Devel. 1:161-171)、骨髄細胞で活性のあるβ−グロビン遺伝子制御領域 (Mogram et al., 1985, Nature 315:338-340; Kollias et al., 1986, Cell 46:89-94）、脳の乏突起膠細胞で活性のあるミエリン塩基性タンパク遺伝子制御領域(Readhead et al., 1987, Cell 48:703-712);骨格細胞で活性のあるミオシン軽鎖−２遺伝子制御領域 (Sani, 1985, Nature 314:283-286)、および視床下部で活性のある性腺刺激ホルモン放出ホルモン遺伝子制御領域(Mason et al., 1986, Science 234:1372-1378)。Ｃｅｌ１タンパク、誘導体、あるいは類縁体をコードしている核酸に機能しうるように連結しているプロモーター要素はまた、バクテリオファージプロモーターである可能性もある。そのプロモーターは、別のプラスミドのＲＮＡポリメラーゼ遺伝子から発現されたバクテリオファージＲＮＡポリメラーゼに由来している。たとえば、Ｔ７ＲＮＡポリメラーゼをコードしている別のプラスミドによってＴ７ＲＮＡポリメラーゼプロモーターに機能しうるように連結されたケモカイン、誘導体あるいは類似体をコードしている核酸。